(57)【要約】【課題】グリル庫内に容易に装着することが可能なカバー板を備える清掃の容易なグリルを提供する。【解決手段】グリル４は、手前が開放され内部に調理物を収容するグリル庫４１と、グリル庫４１の左右側部に配設される下火バーナ４７と、下火バーナ４７の上方を覆う上バーナカバー４７１と、上バーナカバー４７１の上面を覆って着脱自在に装着されるカバー板４７３とを備える。グリル庫４１の側壁４１２の手前側に突起４１４を、上バーナカバー４７１の奥部に隆起部４７１ｃをそれぞれ設ける。カバー板４７３は、側壁４１２を覆う垂直片４７３ａと、上バーナカバー４７３の上面に載置される傾斜片４７３ｂとを有しており、垂直片４７３ａには突起４１４に対応する位置に穴４７３ｃが形成され、傾斜片４７３ｂには隆起部４７１ｃに被さって係止される隆起部４７３ｄが形成されている。【選択図】図４
2010035670.tif 000002
【特許請求の範囲】
【請求項１】
手前が開放され内部に調理物を収容するグリル庫と、該グリル庫の天井部に配設される上火バーナと、前記グリル庫の左右側部に配設される下火バーナと、該下火バーナの上方を覆うように前記グリル庫の側壁から突設される上バーナカバーと、該上バーナカバーの上面を覆って着脱自在に装着されるカバー板とを備えるグリルにおいて、
前記側壁の手前側に突起を、前記上バーナカバーの奥部に第１の隆起部をそれぞれ設け、
前記カバー板は、前記側壁を覆う垂直片と、前記上バーナカバーの上面に載置される傾斜片とを有しており、前記垂直片には前記側壁の突起に対応する位置に穴が形成され、前記傾斜片には前記上バーナカバーの第１の隆起部に被さって係止される第２の隆起部が形成されていることを特徴とするグリル。
【請求項２】
前記側壁の突起は、円柱状の本体の先端に鍔部を有する鍔付ピンであり、
前記カバー板の穴は、前記鍔部を挿通可能な大穴と該鍔部より小さく且つ前記本体の外径より大きな小穴とを連結させて一体に形成したたまご型の穴であることを特徴とする請求項１に記載のグリル。
【請求項３】
前記上バーナカバーの第１の隆起部及び前記カバー板の第２の隆起部は共に、絞り加工によって突出成形されていることを特徴とする請求項１又は２に記載のグリル。
【請求項４】
前記上バーナカバーの第１の隆起部及び前記カバー板の第２の隆起部は共に、左右方向の幅が手前側から奥側に向かって順次広がるように形成されていることを特徴とする請求項１から３のいずれか１項に記載のグリル。
【請求項５】
前記カバー板の傾斜片の奥側端面が、その外側端部にて対向する前記グリル庫の奥壁前面と当接すると共に、当該奥壁前面に対して内方方向手前側に傾斜しており、その傾斜角度が、前記グリル庫の側壁の奥端を基準とした前記突起の内方方向への飛び出し角度よりも大きいことを特徴とする請求項１から４のいずれか１項に記載のグリル。
【請求項６】
前記カバー板の垂直片と傾斜片とを接続する屈曲した角部の一部には、当該角部の凸方向に突出する凸部が形成されていることを特徴とする請求項１から５のいずれか１項に記載のグリル。
【発明の詳細な説明】
【技術分野】
【０００１】
本発明は、下火バーナの上方を覆う上バーナカバーの上面を覆って着脱自在に装着されるカバー板を備えるグリルに関する。
【背景技術】
【０００２】
従来、この種のグリルとして、手前が開放され内部に調理物を収容するグリル庫と、グリル庫の天井部に配設される上火バーナと、グリル庫の左右側部に配設される下火バーナと、下火バーナの上方を覆うようにグリル庫の側壁から突設される上バーナカバーと、上バーナカバーの上面を覆って着脱自在に装着されるカバー板とを備えるものが知られている（例えば、特許文献１参照）。これによれば、カバー板は、グリル庫内の調理物から飛散する煮汁や油等の汚れが上バーナカバーやグリル庫の側壁に付着することを防止している。使用者は、カバー板を取り外して丸洗いし、カバー板に付着した汚れを容易に清掃することができる。
【０００３】
ここで、上記従来例のものでは、グリル庫の手前側及び中央部近傍に、それぞれグリル庫の側壁から水平に突出する係止ピンが設けられている。係止ピンの先端には鍔部が形成されている。一方、カバー板には、各係止ピンに対応する位置に、鍔部が挿通可能な大径穴とその上方に連設され且つピンが嵌め込み可能な小径穴とからなるだるま型の係止穴が形成されている。
【０００４】
カバー板を装着するときは、カバー板をグリル庫内に差し込み、各係止ピンが係止穴と対応するように位置合わせしたところで、カバー板を側壁側に移動させて大径穴に鍔部を挿通させ、カバー板を下降させて、小径穴に係止ピンを係止させる。これにより、カバー板は、係止ピンによって前方への移動が阻止され、且つ、鍔部によって、内方への移動が阻止された状態で吊り下げられて係止されることとなる。
【０００５】
また、従来のグリルには、グリル庫の側壁等の手前側及び奥部に、係止ピンや係止爪がそれぞれ設けられ、カバー板のこれら係止ピンや係止爪に対応する位置に、係止穴や係止切欠が形成されているものもある。
【０００６】
また、カバー板の垂直片と傾斜片とを接続する角部は、その曲率半径が小さいと清掃が困難となる。そのため、角部の曲率半径が５ｍｍ程度と緩やかに屈曲させて、角部の手入れが容易になるようにしている。従来のグリルにおいては、カバー板の強度を補強するために、角部の一部に、当該角部の凹方向に突出する凸部を複数形成している。
【特許文献１】特開２００６−１４１５８８号公報
【発明の開示】
【発明が解決しようとする課題】
【０００７】
しかしながら、上記従来例のものでは、カバー板を装着するとき、２つの係止ピンが共に係止穴と対応するように位置合わせしたところで、カバー板を側壁側に移動させて大径穴に鍔部を挿通させる必要がある。そのため、カバー板を装着することが困難であるという問題があった。特に、グリル庫の奥部に位置する係止ピンは、カバー板を装着するとき、見えにくく、位置合わせすることが困難である。また、グリル庫の側壁等の奥部に設けた係止ピンや係止爪に、カバー板に形成した係止穴や係止切欠を係止する場合も、同様に見え難く、位置合わせが困難である。
【０００８】
尚、カバー板をグリル庫にスライド式に装着することも考え得る。しかしながら、この場合、カバー板をスライドさせるためのカバーをグリル庫に設ける必要が生じる。このようなカバーは、グリル庫内に存在するため汚れ易く、その清掃は困難であるという問題がある。
【０００９】
また、従来のグリルでは、焼き網を装着するとき、カバー板の角部に形成された凸部が焼き網のフレームと干渉することがあり、焼き網の装着が困難であるという問題がある。焼き網の調理面積は、可能な限り大きくしたいという要望がある。しかし、焼き網の装着が困難であると、焼き網の調理面積を小さくする必要が生じるという問題がある。
【００１０】
本発明は、以上の点に鑑み、グリル庫内に容易に装着することが可能なカバー板を備える清掃の容易なグリルを提供することをその課題としている。更に、焼き網を容易に装着することが可能なカバー板を備えるグリルを提供することをその課題としている。
【課題を解決するための手段】
【００１１】
上記課題を解決するために、本発明は、手前が開放され内部に調理物を収容するグリル庫と、該グリル庫の天井部に配設される上火バーナと、前記グリル庫の左右側部に配設される下火バーナと、該下火バーナの上方を覆うように前記グリル庫の側壁から突設される上バーナカバーと、該上バーナカバーの上面を覆って着脱自在に装着されるカバー板とを備えるグリルにおいて、前記側壁の手前側に突起を、前記上バーナカバーの奥部に第１の隆起部をそれぞれ設け、前記カバー板は、前記側壁を覆う垂直片と、前記上バーナカバーの上面に載置される傾斜片とを有しており、前記垂直片には前記側壁の突起に対応する位置に穴が形成され、前記傾斜片には前記上バーナカバーの第１の隆起部に被さって係止される第２の隆起部が形成されていることを特徴とする。
【００１２】
本発明によれば、グリル庫の側壁の手前側に設けた突起に、カバー板の垂直片に形成された穴を係止すると共に、上バーナカバーの奥部に設けられた第１の隆起部に、カバー板の傾斜片に形成された第２の隆起部を被せて係止することによって、カバー板がグリル庫に装着される。このように、カバー板の奥部の見え難い部分の係止は、上バーナカバーの第１の隆起部に第２の隆起部を被せればよいので、正確な位置合わせを行う必要はない。そのため、カバー板の奥部の係止が、係止ピンと係止穴との係止によって行われる上記従来例と比べて、カバー板の装着を容易に行うことができる。
【００１３】
更に、カバー板は、手前側の突起と奥部の第１の隆起部とに係合されることによって、その脱落が防止された状態で係止されている。そのため、カバー板は、焼き網が引っ掛かった場合であっても、容易に脱落することがない。また、グリル庫内には突起が側壁に設けられるが、この突起は手前側に位置するため、グリル庫内の清掃は容易なものとなる。尚、上バーナカバーには、一般的に、下火バーナ用の点火装置やサーモカップルの逃げ部としての隆起部が形成されている。そして、この隆起部を第１の隆起部とすることにより、新たな部品や構造を追加することなく、カバー板を係止するための係止手段を上バーナカバーが備えることとなり、グリルのコストを削減することが可能となる。
【００１４】
また、本発明において、前記側壁の突起は、円柱状の本体の先端に鍔部を有する鍔付ピンであり、前記カバー板の穴は、前記鍔部を挿通可能な大穴と該鍔部より小さく且つ前記本体の外径より大きな小穴とを連結させて一体に形成したたまご型の穴であることが好ましい。
【００１５】
この場合、カバー板をグリル庫に装着する際、グリル庫内の突起にカバー板の穴を挿通することが容易になると共に、グリル庫に装着されたカバー板の係止が良好なものとなる。
【００１６】
また、本発明において、前記上バーナカバーの第１の隆起部及び前記カバー板の第２の隆起部は共に、絞り加工によって突出成形されていることが好ましい。
【００１７】
この場合、上バーナカバー及びカバー板を成型加工する際に同時に、第１の隆起部及び第２の隆起部を絞り加工によって突出成形することにより、部品点数を増加させることなく係止手段を設けることができ、グリルのコストを削減することが可能となる。更に、第１の隆起部及び第２の隆起部は、切り起こしや溶接等の接合ではなく、絞り加工によって突出成形されるので、上バーナカバー及びカバー板の奥部には、奥端面を除いて切断面が生じず、穴や切欠等も形成されていない。そのため、清掃する際に手入れ布等が切断面や穴等に引っ掛かることがないので、清掃が容易になる。また、穴や切欠等を介して煮汁や油等の汚れが下火バーナ部に落下することがない。
【００１８】
また、本発明において、前記上バーナカバーの第１の隆起部及び前記カバー板の第２の隆起部は共に、左右方向の幅が手前側から奥側に向かって順次広がるように形成されていることが好ましい。
【００１９】
この場合、カバー板をグリル庫に装着する際、カバー板を手前側から奥側に向けて移動させながらカバー板の第２の隆起部を上バーナカバーの第１の隆起部を被せることにより、カバー板の位置合わせ及び装着を容易化することが可能となる。
【００２０】
また、本発明において、前記カバー板の傾斜片の奥側端面が、その外側端部にて対向する前記グリル庫の奥壁前面と当接すると共に、当該奥壁前面に対して内方方向手前側に傾斜しており、その傾斜角度が、前記グリル庫の側壁の奥端を基準とした前記突起の内方方向への飛び出し角度よりも大きいことが好ましい。
【００２１】
この場合、カバー板をグリル庫に装着する際、カバー板の傾斜片の奥側端面を対向するグリル庫の奥壁前面に押し当て、且つ当該傾斜片の外側端部をグリル庫の奥壁前面に当接させた状態で、この当接を維持しながらカバー板を回動させて、カバー板の垂直片をグリル庫の側壁に押し当てるようにして、カバー板をグリル庫に装着することにより、カバー板の奥側の位置合わせを行ってから、カバー板の手前側の係止穴を突起に係止することができる。そのため、カバー板の装着を更に容易に行うことが可能となる。
【００２２】
また、本発明において、前記カバー板の垂直片と傾斜片とを接続する屈曲した角部の一部には、当該角部の凸方向に突出する凸部が形成されていることが好ましい。
【００２３】
この場合、カバー板の角部に形成された凸部によって、カバー板の強度が補強されている。そして、この凸部は、角部の凸方向に突出するように形成されているので、焼き網を装着するときに焼き網のフレームと干渉することがなく、焼き網の装着を容易に行うことが可能となる。また、焼き網の調理面積を大きくすることも可能となる。
【発明を実施するための最良の形態】
【００２４】
本発明の第１の実施形態に係るグリルを具備するコンロについて説明する。
【００２５】
このコンロは、図１に示すように、システムキッチンのカウンタトップ（図示せず）に組み込むビルトイン式コンロである。このコンロは、カウンタトップに開設した開口に落とし込むようにして設置するコンロ本体１と、コンロ本体１の上面を覆うようにしてカウンタトップに載置する天板２とを備えている。コンロ本体１には、前側の左右２個と後側の１個の計３個のコンロバーナ３が配置されると共に、グリル４が内蔵されている。そして、天板２に、これら各コンロバーナ３を臨ませる開口を形成して、各開口を囲うように五徳５を載置している。また、天板２の後部にはグリル４用の排気口が開設され、この排気口を覆う排気カバー２ａが載置されている。尚、各コンロバーナ３には、その内周空間に位置させて、五徳５上の調理容器の底面に当接してその温度を検出する鍋底温度センサ３ａが付設されている。
【００２６】
カウンタトップの下で前方に露出するコンロ本体１の前面部分には、後述するグリル庫４１の前面開口を閉じるグリル扉４２とその左右の前面パネル６とが設けられている。各前面パネル６には、コンロバーナ３用とグリル４用の各操作盤７が前面パネル６の前方に出没自在に組み込まれており、操作盤７の収納状態では、操作盤７の前板７ａが前面パネル６とほぼ面一になる。
【００２７】
グリル４は、図２に示すように、コンロ本体１内に設置されるグリル庫４１を備えている。グリル庫４１の後部には排気ダクト４１１が取付けられている。また、グリル庫４１には、図３に示すように、焼き網４３をその前後に垂設した脚片部を介して載置するグリル皿４４と、グリル皿４４を支持する皿支持枠４５とが収納されている。
【００２８】
グリル庫４１の天井部には、上火バーナ４６が装着され、更に、上火バーナ４６の上方を覆うようにして遮熱カバー４６１が設けられている。また、グリル庫４１の横方向両側の側壁部に、焼き網４３とグリル皿４４との間に位置させて、横方向内方に凹入する凹入部４１３を形成し、この凹入部４１３内に、凹入部４１３の横方向内側面に設けた窓部４１３ａに臨ませて下火バーナ４７を配置している。このようにして、焼き網４３上の調理物を上火バーナ４６と下火バーナ４７とで上下から焼成する両面焼きグリルが構成されている。尚、図２、図３で４６ａ，４７ａは上火バーナ４６と下火バーナ４７の混合管である。
【００２９】
凹入部４１３は、下火バーナ４７の上方を覆う上バーナカバー４７１と、下火バーナ４７の下方を覆う下バーナカバー４７２とから構成されており、上バーナカバー４７１及び下バーナカバー４７２は整流板として機能する。上バーナカバー４７１は、図４から図６に示すように、グリル庫４１の左右の両側壁４１２にそれぞれ取付けられている。側壁４１２の手前側の上バーナカバー４７１と近接する上方には、それぞれ突起４１４が設けられている。突起４１４は、円柱状の本体４１４ａの先端に鍔部４１４ｂを有する鍔付ピンであり、内方に向かって略水平方向に突出している。突起４１４は、その本体となる円柱４１４ａの外径よりも大径な鍔部４１４ｂを有しており、きのこ状に形成されている。尚、ここでは、突起４１４は、上バーナカバー４７１の側壁４１２への位置合わせ部材を兼ねている。
【００３０】
上バーナカバー４７１は、側壁４１２への取付け面となる垂直片４７１ａと、この垂直片４７１ａの下端縁からグリル庫４１の内側に向かって斜め下方に延び、下火バーナ４７の上方を覆う傾斜片４７１ｂとから構成されている。傾斜片４７１ｂの奥部には隆起部（第１の隆起部）４７１ｃが設けられており、下火バーナ４７用の点火装置やサーモカップルの逃げ部となっている。上バーナカバー４７１は、金属薄板をプレス成形することによって一体形成されており、隆起部４７１ｃは絞り加工によって数ミリメートル程度隆起するように成形されている。隆起部４７１ｃは、滑らかに隆起しており、その頂部は平らに形成されている。平らな頂部は、ここでは、前後方向を長手方向とする長方形状に形成されている。
【００３１】
左右の上バーナカバー４７１は、それぞれ着脱自在に装着されるカバー板４７３によって、その上面が覆われている。カバー板４７３は、上バーナカバー４７１、及び上バーナカバー４７１より上方のグリル庫４１の側壁４１２の内側面を覆うようにして、グリル庫４１内に装着されている。カバー板４７３は、グリル庫４１内の調理物から飛散する煮汁や油等の汚れが上バーナカバー４７１や側壁４１２に付着することを防止している。使用者は、カバー板４７３を取り外して丸洗いし、カバー板４７３に付着した汚れを容易に清掃することができる。
【００３２】
カバー板４７３は、図７に示すように、側壁４１２への取付け面となる垂直片４７３ａと、この垂直片４７３ａの下端縁から斜め下方に延び、上バーナカバー４７１の上面に載置される傾斜片４７３ｂとから構成されている。垂直片４７３ａには、側壁４１２の突起４１４に対応する位置に穴４７３ｃが貫通して形成されている。この穴４７３ｃは、突起４１４の鍔部４１４ｂを挿通可能な大穴と、鍔部４１４ｂより小さく且つ本体４１４ａの外径より大きな小穴とを連結させて一体に形成したたまご型の穴である。尚、穴４７３ｃは、だるま型の穴であってもよい。傾斜片４７３ｂは、上バーナカバー４７１の傾斜片４７１ｂと同じように傾斜している。そして、傾斜片４７３ｂの奥端部には、上バーナカバー４７１の隆起部４７１ｃと対応する位置に、隆起部（第２の隆起部）４７３ｄが設けられている。この隆起部４７３ｄは、上バーナカバー４７１の隆起部４７１ｃを被さって係止されるように形成されている。ここでは、カバー板４７３の隆起部４７３ｄは、奥端まで延びていることを除いて、上バーナカバー４７１の隆起部４７１ｃとほぼ同形状に形成されている。カバー板４７３を上バーナカバー４７１の上に置いたときに、カバー板４７３の隆起部４７３ｄが上バーナカバー４７１の隆起部４７１ｃと係合して、カバー板４７３が上バーナカバー４７１からずれ落ちないようになっている。
【００３３】
カバー板４７３の垂直片４７３ａと傾斜片４７３ｂとを接続する丸みを帯びて屈曲した角部４７３ｅの一部には、当該角部４７３ｅの凸方向に僅かに突出する凸部４７３ｆが複数形成されている。ここでは、前後方向に短い４つのビード状の凸部４７３ｆが形成されている。凸部４７３ｆによって、カバー板４７３の強度が補強されている。そして、この凸部４７３ｆは、角部４７３ｅの凸方向である外方に突出するように形成されている。そのため、焼き網４３を装着するときに焼き網４３のフレームと干渉することがなく、焼き網４３の装着を容易に行うことが可能となる。また、焼き網４３の調理面積を大きくすることも可能となる。
【００３４】
更に、傾斜片４７３ｂの手前端部には、先端に丸みを帯びた把持部４７３ｇが延長して形成されており、カバー板４７１の脱着作業を行う際、使用者がこの把持部４７３ｇを手で把持する。カバー板４７３は、アルミメッキ鋼板等の金属薄板をプレス成形することによって一体形成されており、隆起部４７３ｄは絞り加工によって突出成形されている。尚カバー板４７３の表面は、ホーローを塗布して仕上げされている。
【００３５】
カバー板４７３をグリル庫４１内に装着する場合、使用者は把持部４７３ｇを手で把持して、カバー板４７３をグリル庫４１内に差し込み、手前側に位置する突起４１４の鍔部４１４ｂに穴４７３ｃの大穴を挿通させる。このとき、カバー板４７３の穴４７３ｃを挿通させる突起４１４は、手前側に位置するので見易く、使用者はその位置合わせや挿通を容易に行うことができる。そして、カバー板４７３を側壁４１２に押し付けるようにしながら降下させて、穴４７３の小穴に突起４１４の本体４１４ａを係止させると共に、隆起部４７３ｄを上バーナカバー４７１の隆起部４７１ｃに被さるようにして、カバー板４７３を上バーナカバー４７１の上に載置する。このとき、カバー板４７３の隆起部４７３ｄを上バーナカバー４７１の隆起部４７１ｃに対して少しずらして使用者が被せようとした場合であっても、そのずれは隆起部４７１ｃ，４７３ｄの傾斜部分により解消されて自動的に位置合わせが行われる。また、この逆の手順を辿ることにより、カバー板４７３をグリル庫４１内から取り外すことができる。
【００３６】
このように、カバー板４７３をグリル庫４１内に容易に脱着することができる。また、カバー板４７３は、突起４１４と隆起部４７１ｃとの係合によりその脱落が防止された状態で係止されている。そのため、カバー板４７３は、焼き網４３が引っ掛かった場合であっても脱落することなく、安定的に装着されている。また、グリル庫４１内には突起４１４が側壁４１２から突出して設けられるが、この突起４１４は手前側に位置するため、グリル庫４１内の清掃は容易なものとなる。
【００３７】
図３に示すように、グリル庫４１の横方向両側の外側には、前後方向に長手の固定レール４８と、固定レール４８に前後方向に移動自在に支持される可動レール４９とが配置されている。ここで、グリル庫４１の下方には、グリル庫４１の底壁部との間に空隙を存して遮熱板４１５が設置されている。そして、遮熱板４１５の横方向両側部をグリル庫４１の横方向外側で上方に屈曲させて、起立状態の取付板４８１を形成し、この取付板４８１の横方向外方を向く面に固定レール４８を取付けている。
【００３８】
固定レール４８には、中間レール４８２がボールを介して前後方向に移動自在に係合しており、この中間レール４８２にボールを介して可動レール４９が前後方向に移動自在に係合している。従って、可動レール４９は中間レール４８２を介して固定レール４８に前後方向に移動自在に支持される。
【００３９】
グリル庫４１の横方向両外側の一対の可動レール４９は、その前端においてレール連結枠（図示せず）を介して連結される。レール連結枠には、皿支持枠４５の前端部が係止されると共に、グリル扉４２が着脱自在に連結される。かくして、グリル扉４２の前面下部の把手４２１に指を掛けて手前に引いたり後方に押すことにより可動レール４９が固定レール４８に案内されて前後動し、これに連動して皿支持枠４５も前後動して、皿支持枠４５に支持されるグリル皿４４がグリル庫４１にスムーズに出し入れされる。尚、皿支持枠４５の動きの円滑性を確保するため、グリル庫４１の底壁部には前後複数の支持部４１６が形成されている。
【００４０】
以下、本発明の第２の実施形態に係るグリルを具備するコンロについて説明する。このコンロは、上述した第１の実施形態に係るコンロと類似するので、異なる点についてのみ説明する。
【００４１】
第２の実施形態に係るグリルを具備するコンロにおいては、図８に示すように、上バーナカバー４７１´の傾斜片４７１ｂに設けられた隆起部（第１の隆起部）４７１ｃ´がテーパーを有するように形成されている。具体的には、隆起部４７１ｃ´の平らな頂部が、左右方向の幅が手前側から奥側に向かって順次広がる台形状に形成されている。尚、図８は、第１の実施形態に係るグリルを具備するコンロを示す図６のVIII−VIII線における切断上面図に対応するものである。そして、この隆起部４７１ｃ´の形状に対応するように、図９に示すように、カバー板４７３´の傾斜片４７３ｂに設けられた隆起部（第２の隆起部）４７３ｄ´もテーパーを有するように形成されている。尚、図９は、第１の実施形態に係るグリルを具備するコンロを示す図４のIX−IX線における切断上面図に対応するものである。更に、カバー板４７３´の傾斜片４７３ｂの奥側端面が、その外側端部にて対向するグリル庫４１の奥壁４１７の前面と当接すると共に、当該奥壁４１７の前面に対して内方方向手前側に所定角度α、例えば７度傾斜している。この傾斜角度αは、グリル庫４１の側壁４１２の奥端を基準とした突起４１４の内方方向への飛び出し角度β、例えば５度よりも少し大きくなっている。
【００４２】
本コンロにおいてカバー板４７３´をグリル庫４１に装着する際、カバー板４７３´の傾斜片４７３ｂの奥側端面を対向するグリル庫４１の奥壁４１７の前面に押し当て、且つ当該傾斜片４７３ｂの外側端部をグリル庫４１の奥壁４１７の前面に当接させた状態で、この当接を維持しながらカバー板４７３´を回動させて、カバー板４７３´の垂直片４７３ａをグリル庫４１の側壁４１２に押し当てるようにして、カバー板４７３´をグリル庫４１に装着することにより、カバー板４７３´の奥側の位置合わせを行ってから、カバー板４７３´の手前側の係止穴４７３ｃを突起４１４に係止することができる。そのため、カバー板４７３´の装着を更に容易に行うことが可能となる。
【００４３】
尚、隆起部４７１ｃ，４７１ｃ´と隆起部４７３ｄ，４７３ｄ´の頂部の高さは、前後方向の断面視で、奥側が手前側よりも高くなっていることが好ましい。この場合、カバー板４７３，４７３´の装着を更に容易に行うことが可能となる。
【００４４】
また、上バーナカバー４７１，４７１´の隆起部４７１ｃ，４７１ｃ´は、下火バーナ４７用の点火装置やサーモカップルの逃げ部として形成されており、その頂部が平らな長方形状や台形状になっている。そして、この形状に対応させて、カバー板４７３，４７３´の隆起部４７３ｄ，４７３ｄ´も、その頂部が平らな長方形状や台形状になっている。しかしながら、隆起部４７１ｃ，４７１ｃ´及び隆起部４７３ｄ，４７３ｄ´の形状は、これらの形状に限定されず、カバー板４７３，４７３´を上バーナカバー４７１，４７１´に係止することが可能な形状であれば、それぞれ任意の形状であってもよく、頂部が平らでなくともよい。
【００４５】
以上、ドロップイン式コンロに組み込むグリルに本発明を適用した実施形態について説明したが、卓上式コンロに組み込むグリル、更にはコンロに組み込まずに独立して設けられるグリルにも同様に本発明を適用できる。
【図面の簡単な説明】
【００４６】
【図１】本発明の第１の実施形態に係るグリルを具備するコンロの斜視図。
【図２】グリルの斜視図。
【図３】グリルの切断正面図。
【図４】グリル庫の内側部分の切断斜視図。
【図５】図４のＶ−Ｖ線で切断した切断正面図。
【図６】カバー板を取り外した状態のグリル庫の内側部分の切断斜視図。
【図７】カバー板の斜視図。
【図８】本発明の第２の実施形態に係るグリルを具備するコンロにおいて、カバー板を取り外した状態のグリル庫の内側部分の切断上面図。
【図９】グリル庫の内側部分の切断上面図。
【符号の説明】
【００４７】
４…グリル、４１…グリル庫、４１２…側壁、４１４…突起、４１４ａ…本体、４１４ｂ…鍔部、４６…上火バーナ、４７…下火バーナ、４７１，４７１´…上バーナカバー、４７１ａ…垂直片、４７１ｂ…傾斜片、４７１ｃ，４７１ｃ´…隆起部（第１の隆起部）、４７３，４７３´…カバー板、４７３ａ…垂直片、４７３ｂ…傾斜片、４７３ｃ…穴、４７３ｄ，４７３ｄ´…隆起部（第２の隆起部）４７３ｅ…角部、４７３ｆ…凸部。
【図４】
2010035670.tif 000003
【図５】
2010035670.tif 000004
【図６】
2010035670.tif 000005
【図７】
2010035670.tif 000006
【図１】
2010035670.tif 000007
【図２】
2010035670.tif 000008
【図３】
2010035670.tif 000009
【図８】
2010035670.tif 000010
【図９】
2010035670.tif 000011